(57)【要約】【課題】目立たない滑り止め部により前側足底部の略全面に対し均等に前滑り効果を発揮させることができ、構造を簡素化することでコストダウンを図ることもできる履き物用の足底支持構造体の提供。【解決手段】クッション性シートを基材１２とし、該基材１２上に足底載置材２２を固着して配置される履き物用の足底支持構造体１１において、足底載置材２２は、アーチ部位から踵部位へと至る後側足底部と対面する非布材部２３と、アーチ部部位からつま先部位へと至る前側足底部と対面する布材部２４とに区画形成され、該布材部２４には、足底の長さ方向と交差する方向の表面に布材部２４側の色調の透視が可能なシリコーンゴムからなるドーム状小突起２５を一定間隔を置いて複数個固設してなる横ドット列２４を並列配置することで滑り止め部２５を形成した。【選択図】図１
0003202438.tif 000002
【実用新案登録請求の範囲】
【請求項１】
クッション性シートを基材とし、該基材上に足底載置材を固着して配置される履き物用の足底支持構造体において、
前記足底載置材は、足底におけるアーチ部位から踵部位へと至る後側足底部と対面する非布材部と、前記アーチ部位からつま先部位へと至る前側足底部と対面する布材部とに区画形成され、
該布材部には、足底の長さ方向と交差する方向の表面に前記布材部側の色調の透視が可能なシリコーンゴムからなるドーム状小突起を一定間隔を置いて複数個固設してなる横ドット列を並列配置して滑り止め部を形成したことを特徴とする履き物用の足底支持構造体。
【請求項２】
各横ドット列を構成する前記ドーム状小突起は、横列方向で相互に隣り合う頂点高さの間隔が２ｍｍ〜４ｍｍである請求項１に記載の履き物用の足底支持構造体。
【請求項３】
個々の前記ドーム状小突起は、最大径が０．５ｍｍ〜１．５ｍｍで、前記布材部からの頂点高さが０．３ｍｍ〜１ｍｍである請求項１または２に記載の履き物用の足底支持構造体。
【請求項４】
前記横ドット列にあって隣り合う列相互における前記ドーム状小突起の頂点高さの列間の間隔が１０ｍｍ〜２０ｍｍである請求項１ないし３のいずれかに記載の履き物用の足底支持構造体。
【請求項５】
前記滑り止め部を構成する前記横ドット列の各列における前記ドーム状小突起の数は、前記前側足底部の足幅の程度に応じ最大で１５個とし、最小で６個とした請求項１ないし４のいずれかに記載の履き物用の足底支持構造体。
【請求項６】
前記足底支持構造体は、靴の中底側への出し入れが自在な中敷きと、靴内に一体的に取り付けられる中底と、サンダルに一体的に形成される足底載置面とのうちのいずれかである請求項１ないし５のいずれかに記載の履き物用の足底支持構造体。
【考案の詳細な説明】
【技術分野】
【０００１】
本考案は、ヒールの高い靴・サンダルなどの履き物を履いて歩行する際につま先側に前滑りする動きを効果的に抑制することができる履き物用の足底支持構造体に関する技術である。
【背景技術】
【０００２】
靴やサンダルなどの履き物には、比較的ヒールの低いものからハイヒールと称されるヒールの高いものまで、履く者の用途や好みに応じ得るように種々のタイプのものが提供されてきている。
【０００３】
これらのうち、特にヒールの高い履き物の場合には、足底載置面が前傾した急斜面となることから、これを履いて歩行しているときに該急斜面に沿って足が前滑りしやすくなる結果、前滑りする動きに抵抗しようとしてつま先側に力を入れるなどして負荷がかかってしまうので、それだけ疲れやすくなったり痛くなったりしてしまうほか、このような窮屈な思いを繰り返すうちに外反母趾になってしまうなどの問題があった。
【０００４】
このような問題に対する従来からある対処方法としては、例えば特許文献１〜３に示されているように前滑りしないように前滑り止め構造を設けた靴用の中敷きや靴内に取り付けられる中底体が既に提案されている。
【先行技術文献】
【特許文献】
【０００５】
【特許文献１】実用新案登録第３１９８９４２号公報
【特許文献２】特開２０１２−１１０４８６号公報
【特許文献３】特開２００７−１３０２６８号公報
【０００６】
これらのうち、特許文献１の靴用中敷きの滑り止め構造は、多孔質材料からなる中敷きの前足部に所定の模様を有する枠線部と、該枠線部内に設けた格子状状部とで構成される滑り止め部を接着することで形成されている。
【０００７】
また、特許文献２の中敷きは、中敷き本体に荷重がかかったときに、前足部側に位置する滑り止め部材の上面が、付勢材を介して中敷き本体の上面よりも高い位置に位置変更するようにして構成されている。
【０００８】
さらに、特許文献３の婦人靴用の中底体は、高さのあるヒールを備えており、重心が踵から接地面方向へと向かうように踵部分に設けられた椀形状凹部を、中心から外側に向けて高くなるように曲面形に成形することで中底体側と一体形成することで構成されている。
【考案の概要】
【考案が解決しようとする課題】
【０００９】
しかし、特許文献１の靴用中敷きの滑り止め構造による場合は、中敷きの前足部に枠線部を設け、該枠線部内に格子状部を設けることで形成されていることから、その存在が目立ってしまう不都合があった。
【００１０】
また、特許文献２の中敷きによる場合は、中敷き本体に荷重がかかったときに前足部側に位置する滑り止め部材の上面を中敷き本体の上面よりも高い位置に位置変更させて滑り止め効果を得ようとするものであることから、構造が複雑化して結果的に製品コストが高くなってしまう難点があった。
【００１１】
さらに、特許文献３の婦人靴用の中底体による場合は、踵部分に設けられた椀形状凹部が中心から外側に向けて高くなるように曲面形に成形されていることから、踵部分は椀形状凹部に支持さることである程度安定化させることができるものの、つま先部側はフリーな状態となって不安定となる不具合があった。
【００１２】
本考案は、従来技術にみられた上記課題に鑑み、滑り止め部の存在を目立たなくするなかで前側足底部の略全面に対し均等に前滑り効果を発揮させることができるばかりでなく、その構造を簡素化することでコストダウンを図ることもできる履き物用の足底支持構造体を提供することを目的とする。
【課題を解決するための手段】
【００１３】
本考案は、上記目的を達成すべくなされたものであり、クッション性シートを基材とし、該基材上に足底載置材を固着して配置される履き物用の足底支持構造体において、前記足底載置材は、足底におけるアーチ部位から踵部位へと至る後側足底部と対面する非布材部と、前記アーチ部位からつま先部位へと至る前側足底部と対面する布材部とに区画形成され、該布材部には、足底の長さ方向と交差する方向の表面に前記布材部側の色調の透視が可能なシリコーンゴムからなるドーム状小突起を一定間隔を置いて複数個固設してなる横ドット列を並列配置して滑り止め部を形成したことを最も主要な特徴とする。
【００１４】
この場合、、各横ドット列を構成する前記ドーム状小突起は、横列方向で相互に隣り合う頂点高さの間隔を２ｍｍ〜４ｍｍとするのが好ましい。また、個々の前記ドーム状小突起は、最大径を０．５ｍｍ〜１．５ｍｍとし、前記布材部からの頂点高さを０．３ｍｍ〜１ｍｍとするのが好ましい。
【００１５】
さらに、各横ドット列を構成する前記ドーム状小突起は、前記横ドット列にあって隣り合う列相互における前記ドーム状小突起の頂点高さの列間の間隔を１０ｍｍ〜２０ｍｍとすることもできる。
【００１６】
さらに、前記滑り止め部を構成する前記横ドット列の各列における前記ドーム状小突起の数は、前記前側足底部の足幅の程度に応じ最大で１５個とし、最小で６個とすることができる。
【００１７】
また、前記足底支持構造体は、靴の中底側への出し入れが自在な中敷きとして形成したり、靴内に一体的に取り付けられる中底として形成したり、サンダルの足底載置面に設けて形成したりすることができる。
【考案の効果】
【００１８】
請求項１に記載の考案によれば、足底載置材にあって前側足底部と対面する布材部には、足底の長さ方向と交差する方向にシリコーンゴムからなるドーム状小突起を一定間隔を置いて配設してなる横ドット列を並列配置することで滑り止め部が形成されているので、該滑り止め部に対し前側足底部を面として接触させることで、前滑りを効果的に抑止することができる。
【００１９】
また、ドーム状小突起は、布材部側の色調の透視を可能な透明なシリコーンゴムにより形成されているので、布材部側の色調に同化させることでその存在を目立たないものとすることができる。
【００２０】
請求項２に記載の考案によれば、各横ドット列を構成するドーム状小突起は、相互に隣り合う頂点高さの間隔を２ｍｍ〜４ｍｍとしてあるので、前側足底部を滑り止め部に密に接触させて前滑りを効果的に抑止することができる。
【００２１】
請求項３に記載の考案によれば、個々の前ーム状小突起は、最大径を０．５ｍｍ〜１．５ｍｍとし、布材部からの頂点高さを０．３ｍｍ〜１ｍｍとして配設されているので、前側足底部を滑り止め部に接触させながら歩行した際に違和感を感じることなく、気持よく使用することができる。
【００２２】
請求項４に記載の考案によれば、横ドット列にあって隣り合う列相互におけるドーム状小突起の頂点高さの列間の間隔を１０ｍｍ〜２０ｍｍとしてあるので、前側足底部を滑り止め部を構成する各横ドット列に前側足底部を均等に接触させて前滑りをより効果的に抑止することができる。
【００２３】
請求項５に記載の考案によれば、滑り止め部を構成する横ドット列の各列におけるドーム状小突起の数を前側足底部の足幅の程度に対応させるべく最大で１５個とし、最小で６個とすることで形成されているので、滑り止め部に対し前側足底部をその横幅に応じて満遍なく接触させながら前滑りを一段と確実に阻止することができる。
【００２４】
請求項６に記載の考案において足底支持構造体が靴の中底側への出し入れが自在な中敷きとして形成されている場合には、異なる靴を履く場合においても柔軟に共用することができる。また、足底支持構造体が靴内に一体的に取り付けられる中底として形成されている場合には、、靴内での一体感をより高めながら前滑り抑止効果を発揮させることができる。さらに、足底支持構造体がサンダルの足底載置面に設けることで形成されている場合には、ヒールの高いサンダルであっても前滑りを抑止しながら安定的にサンダルを履き続けることができる。
【図面の簡単な説明】
【００２５】
【図１】本考案の実施例を示す平面図。
【図２】図１におけるある列の横ドット列の要部拡大縦断面図。Ａ−Ａ線矢視方向での断面図。
【考案を実施するための形態】
【００２６】
図１は、本考案の一例を示す平面図であり、足底支持構造体１１の全体は、多泡性のウレタンホーム等のクッション性シートにより履き物３１の底面形状に略対応させた平面形状を付与して形成される厚さ２ｍｍ前後の基材１２と、該基材１２の上面に略対面合致させて縫着するなどして固定配置される厚さ１ｍｍ前後の足底載置材２２とで構成されている。
【００２７】
この場合、足底載置材２２は、人の足底におけるアーチ部位から踵部位へと至る後側足底部と対面させるべく配置される非布材部２３と、人の足底におけるアーチ部位からつま先部位へと至る前側足底部と対面させるべく配置される布材部２４とに区画形成されている。
【００２８】
つまり、足底載置材２２は、アーチ部位を境界として後側足底部側に配置される天然皮革や人工皮革などの布材以外の平滑素材からなる非布材部２３と、アーチ部位を境界として前側足底部側に配置される適宜の天然繊維や合成繊維からなる布材部２４とで構成されている。
【００２９】
そして、例えば黒色やベージュ色を呈してなる布材部２４には、足底の長さ方向と交差する方向での表面、つまり足底の横幅方向での表面に布材部２４側の色調の透視が可能な透明なシリコーンゴムからなるドーム状小突起２５が、一定間隔を置いて複数個固設されてなる横ドット列２４を並列配置することで滑り止め部２５が形成されている。
【００３０】
この場合における各ドーム状小突起２５は、例えば型内に粘稠状のシリコーンゴム素材を配置し、布材部２４の所定位置に加熱圧着したり、粘稠状のシリコーンゴム素材を布材部２４に塗着して乾燥させるなど、シリコーンゴム素材を適宜の手法により布材部２４側にその一部を含浸させて図２に示すように一体化させた状態のもとで固設して形成するのが望ましい。
【００３１】
また、各横ドット列２６を構成するドーム状小突起２７は、横列方向で相互に隣り合う頂点高さａの間隔を２ｍｍ〜４ｍｍとするのが好ましが、履いた際の違和感が少なくすると同時に所望する滑り止め効果をも得ようとする観点からは略３ｍｍ程度とするのがより好ましい。
【００３２】
さらに、個々のドーム状小突起２５は、優れた滑り止め効果を得る観点からはその最大径ｂを０．５ｍｍ〜１．５ｍｍとするのが好ましく、好ましい滑り止め効果と違和感を少なくする効果とを同時に得る観点からは略１ｍｍ程度とするのがより好ましい。
【００３３】
また、個々のドーム状小突起２５の布材部２４からの頂点高さは、優れた滑り止め効果を得る観点からは０．３ｍｍ〜１ｍｍとするのが好ましく、違和感を少なくする観点からは略０．５ｍｍ程度とするのがより好ましい。
【００３４】
また、このようにして形成される各横ドット列２４にあって隣り合う列相互におけるドーム状小突起２７の頂点高さの列間の間隔ｃは、１０ｍｍ〜２０ｍｍとするのが好ましい。この場合、違和感なく滑り止め効果をより高める観点からは、ドーム状小突起２７の頂点高さの列間の間隔ｃを１５ｍｍ前後とするのがより好ましい。
【００３５】
さらに、滑り止め部２５を構成する横ドット列２４の各列におけるドーム状小突起２５の数は、前側足底部の足の横幅に対応させるべく最大で１５個とし、最小で６個とするのが好ましい。
【００３６】
これを図示例に基づいて具体的に説明すれば、足のアーチ部寄りの中足骨が位置する部位の２列の横ドット列２４は、それぞれ１５個のドーム状小突起２５で、つま先寄りの中足骨が位置する部位の２列の横ドット列２４は、それぞれ１３個のドーム状小突起２５で、つま先である趾骨が位置する部位の１列の横ドット列２４は、６個のドーム状小突起２５で、構成されている。
【００３７】
しかも、足底支持構造体１１は、靴の中底側への出し入れが自在な中敷きとして形成したり、靴内に一体的に取り付けられる中底として形成したり、サンダルの足底載置面として形成することができる。
【００３８】
本考案は、このようにして構成されているので、足底載置材２２にあって前側足底部と対面する布材部２４に横ドット列２６を並列配置することで形成されている滑り止め部２５に対し前側足底部を面として接触させることで、前滑りを効果的に抑止することができることになる。
【００３９】
しかも、各ドーム状小突起２７は、布材部２４側の色調の透視を可能な透明なシリコーンゴムにより形成されているので、布材部２４側の色調がベージュ色や黒色であれば同じ色調を伴った同化させた状態のもとで目視しされることになるので、その存在を目立たなくして使用することができる。
【００４０】
また、各横ドット列２６を構成する個々のドーム状小突起２７は、相互に隣り合う頂点高さの間隔ａを２ｍｍ〜４ｍｍとして布材部２４に配設されている場合には、前側足底部を滑り止め部２５に密に接触させて前滑りを効果的に抑止することができる。
【００４１】
さらに、個々のドーム状小突起が最大径ｂを０．５ｍｍ〜１．５ｍｍとし、布材部からの頂点高さを０．３ｍｍ〜１ｍｍとして布材部２４に配設されている場合には、前側足底部を滑り止め部２５に接触させながら歩行した際に違和感を感じることなく、気持よく使用することができる。
【００４２】
また、横ドット列２６にあって隣り合う列相互におけるドーム状小突起２７の頂点高さの列間の間隔ｃを１０ｍｍ〜２０ｍｍとしてある場合には、前側足底部を滑り止め部２５を構成する各横ドット列２６に前側足底部を均等に接触させて前滑りをより効果的に抑止することができる。
【００４３】
さらに、滑り止め部２５を構成する横ドット列２６の各列におけるドーム状小突起２７の数を前側足底部の足幅の程度に対応させるべく最大で１５個とし、最小で６個とすることで形成されているので、滑り止め部に対し前側足底部をその横幅に応じて満遍なく接触させながら前滑りを一段と確実に抑止することができる。
【００４４】
これを図示例に基づいてより詳しく説明すれば、滑り止め部２５の全体は、足のアーチ部寄りの中足骨が位置する部位の２列の横ドット列２４がそれぞれ１５個のドーム状小突起２５で、つま先寄りの中足骨が位置する部位の２列の横ドット列２４がそれぞれ１３個のドーム状小突起２５で、つま先である趾骨が位置する部位の１列の横ドット列２４が６個のドーム状小突起２５で構成されているので、足底の横幅の違いによく対応させながら各横ドット列２６を対応部位に満遍なく接触させて一段と優れた前滑り抑止効果を発揮させることができる。
【００４５】
また、足底支持構造体１１が靴の中底側への出し入れが自在な中敷きとして形成されている場合には、異なる靴を履く場合においても柔軟に共用しなが９れた滑り抑止効果を発揮させることができる。
【００４６】
さらに、足底支持構造体１１が靴内に一体的に取り付けられる中底として形成されている場合には、靴内での一体感をより高めながら優れた滑り抑止効果を発揮させることができる。
【００４７】
また、足底支持構造体１１がサンダルの足底載置面に設けることで形成されている場合には、ヒールの高いサンダルであっても優れた滑り抑止効果を発揮させながら安定的にサンダルを履き続けることができる。
【００４８】
以上は、本考案を図示例に基づき説明したものであり、その具体的な構造は、これらに限定されるものではない。例えば、滑り止め部２５を構成する横ドット列２６の各列におけるドーム状小突起２７の数は６個から１５個の間で足幅に応じて適宜増減して配設することができる。また、横ドット列２６は、履き物のサイズに応じて、図示例の５列以外に、５列以上としたり５列以下とすることができる。
【符号の説明】
【００４９】
１１  足底支持構造体
１２  基材
２２  足底載置材
２３  非布材部
２４  布材部
２５  滑り止め部
２６  横ドット列
２７  ドーム状小突起
３１  履き物
【図１】
0003202438.tif 000003
【図２】
0003202438.tif 000004